(57)【要約】【課題】集積回路を透過し誤動作を誘引する紫外線の影響を低減した発光ダイオード照明装置を提供する。【解決手段】光源領域１１ａ〜１１ｃと電源領域１２ａ〜１２ｂが長手方向に交互に定義され、且つ長手方向の両端に光源領域１１ａ、１１ｃがそれぞれ定義された搭載面を有する支持体１０と、発光ダイオード３０を有し、光源領域１１ａ〜１１ｃにそれぞれ配置され、出射光を反射するリフレクタを有する光源３１と、電源領域１２ａ〜１２ｂにそれぞれ配置された、発光ダイオード３０に電力を供給する電源部４０ａ〜４０ｂとを備える。さらに発光ダイオード３０が搭載された面とリフレクタ３１１の表面とのなす鈍角が、電源領域に隣接する光源の方が電源領域に隣接しない光源よりも小さい。【選択図】図１
2011233443.tif 000002
【特許請求の範囲】
【請求項１】
光源領域と電源領域が長手方向に交互に定義され、且つ長手方向の両端に前記光源領域がそれぞれ定義された搭載面を有する支持体と、  発光ダイオードを有し、前記光源領域に配置された光源と、前記電源領域に配置された、前記発光ダイオードに電力を供給する電源部と  を備えることを特徴とする発光ダイオード照明装置において、前記光源が前記発光ダイオードの出射光を反射するリフレクタを備えたことを特徴とする発光ダイオード照明装置。
【請求項２】
前記光源領域に配置された光源基板を更に備え、該光源基板に前記光源が搭載されていることを特徴とする請求項１に記載の発光ダイオード照明装置。
【請求項３】
１つの前記光源領域に、複数の前記光源基板が配置されていることを特徴とする請求項２に記載の発光ダイオード照明装置。
【請求項４】
前記支持体の長手方向の端部に、蛍光灯用照明器具のソケットに装着可能で、前記電源部と電気的に接続する装着ピンが配置されていることを特徴とする請求項１乃至３のいずれか１項に記載の発光ダイオード照明装置。
【請求項５】
前記電源部が、前記装着ピンを介して外部から供給される電源電力を、前記発光ダイオードを駆動する駆動電力に変換する電源回路を有することを特徴とする請求項４に記載の発光ダイオード照明装置。
【請求項６】
前記発光ダイオードが搭載された面と前記リフレクタの表面とのなす鈍角が、前記電源領域に隣接する前記光源の方が前記電源領域に隣接しない前記光源よりも小さいことを特徴とする請求項１に記載の発光ダイオード照明装置
【発明の詳細な説明】
【技術分野】
【０００１】
本発明は、発光ダイオードを光源とする発光ダイオード照明装置に関する。
【背景技術】
【０００２】
近年、陰極放電管（蛍光灯）に代えて発光ダイオード（ＬＥＤ）を光源とする照明装置の実用化が進められている。ＬＥＤを光源とすることにより、陰極放電管を使用する場合に比べて長寿命、省エネルギー等の効果が得られる。特に、ＬＥＤ及びＬＥＤを駆動する電力を供給する電源回路を内蔵する照明装置（以下において、「発光ダイオード（ＬＥＤ）照明装置」という。）を陰極放電管の代わりに既存の蛍光灯用照明器具に取り付けることができれば、蛍光灯用照明器具の改造等が不要になり、既存の設備をそのまま使用することができる。
【０００３】
例えば、複数の発光ダイオードと、該複数の発光ダイオードに電流を供給する回路を構成する電子部品とを備える発光ダイオードユニットにおいて、前記電子部品は、前記複数の発光ダイオードの間に配してあることを特徴とする光源ユニットが提案されている（例えば、特許文献１参照。）
【先行技術文献】
【特許文献】
【０００４】
【特許文献１】特開２００９-１９８５９７号公報
【発明の概要】
【発明が解決しようとする課題】
【０００５】
昨今の白色光を発する発光ダイオードにおいては、青色素子(主に窒化ガリウム)が発する青色光を蛍光体により波長変換を行い、白色光を発するというメカニズムが主に採用されている。青色光の波長は国際照明委員会 (CIE)の規定によれば435.8nmであるが、窒化ガリウムのバンドギャップは波長では約 365 nmと紫外領域であり、紫外線を発する性質を持っている。
【０００６】
既存の蛍光灯用照明器具に取り付けることができるＬＥＤ照明装置においては、既存の器具が比較的軽量な陰極放電管（蛍光灯）を装着するためのものであったため、比較的重量のあるＬＥＤ照明装置においてはしばしば落下などの問題が発生していた。そのため、ＬＥＤ照明装置の軽量化を計るため電子部品の集積回路化が進められている。
【０００７】
しかしながら、特許文献１に記載された光源ユニットにおいて電子部品は、前記複数の発光ダイオードの間に配してある。この構成においては集積回路が紫外線により誤動作する虞があった。
【０００８】
上記問題点に鑑み、本発明は、搭載した集積回路の誤動作を防止する発光ダイオード照明装置を提供することを目的とする。
【課題を解決するための手段】
【０００９】
本発明の一態様によれば、光光源領域と電源領域が長手方向に交互に定義され、且つ長手方向の両端に前記光源領域がそれぞれ定義された搭載面を有する支持体と、  発光ダイオードを有し、前記光源領域に配置された光源と、前記電源領域に配置された、前記発光ダイオードに電力を供給する電源部と  を備えることを特徴とする発光ダイオード照明装置において、前記光源が前記発光ダイオードの出射光を反射するリフレクタを備えたことを特徴とする発光ダイオード照明装置が提供される。
【００１０】
また、本発明の一態様によれば、発光ダイオードが搭載された面とリフレクタの表面とのなす鈍角が、電源領域に隣接する光源の方が電源領域に隣接しない光源よりも小さいことを特徴とする発光ダイオード照明装置が提供される。
【発明の効果】
【００１１】
本発明によれば、搭載した集積回路の誤動作を防止する発光ダイオード照明装置を提供することができる。
【図面の簡単な説明】
【００１２】
【図１】本発明の実施形態に係る発光ダイオード照明装置の構成を示す模式図である。
【図２】図１のII−II方向に沿った断面図である。
【図３】図１のIII−II方向に沿った断面図である。
【図４】本発明の実施形態に係る発光ダイオード照明装置の光源基板を配置する方法の他の例を示す模式図である。
【図５】本発明の実施形態に係る発光ダイオード照明装置の他の構成を示す模式図である。
【図６】本発明の実施形態に係る発光ダイオード照明装置の光源の構造例を示す模式的な断面図である。
【図７】本発明の実施形態の変形例に係る発光ダイオード照明装置の構成を示す模式図である。
【図８】本発明の実施形態の変形例に係る発光ダイオード照明装置の光源の構造例を示す模式的な断面図である。
【発明を実施するための形態】
【００１３】
次に、図面を参照して、本発明の実施形態を説明する。以下の図面の記載において、同一又は類似の部分には同一又は類似の符号を付している。ただし、図面は模式的なものであり、厚みと平面寸法との関係、各部の長さの比率等は現実のものとは異なることに留意すべきである。したがって、具体的な寸法は以下の説明を参酌して判断すべきものである。又、図面相互間においても互いの寸法の関係や比率が異なる部分が含まれていることはもちろんである。  又、以下に示す実施形態は、この発明の技術的思想を具体化するための装置や方法を例示するものであって、この発明の技術的思想は、構成部品の形状、構造、配置等を下記のものに特定するものでない。この発明の技術的思想は、特許請求の範囲において、種々の変更を加えることができる。
【００１４】
本発明の実施形態に係る発光ダイオード照明装置１は、図１に示すように、光源領域１１ａ〜１１ｃと電源領域１２ａ〜１２ｂが長手方向に交互に定義され、且つ長手方向の両端に光源領域１１ａ、１１ｃがそれぞれ定義された搭載面を有する支持体１０と、発光ダイオード３０を有し、光源領域１１ａ〜１１ｃにそれぞれ配置された光源３１と、電源領域１２ａ〜１２ｂにそれぞれ配置された、発光ダイオード３０に電力を供給する電源部４０ａ〜４０ｂとを備える。なお、図１では、光源領域１１ａ〜１１ｃにそれぞれ配置された光源基板２０上に光源３１が搭載されている例を示したが、光源３１が支持体１０に直接搭載されてもよい。図１は、光源３１が搭載された側の光源基板２０の主面の上方から、発光ダイオード照明装置１をみた図である。
【００１５】
図１に示した構造の発光ダイオード照明装置１では、例えば光源領域１１ａに配置された光源３１と、光源領域１１ｂに配置された光源３１のうちの電源領域１２ａ側に配置された光源３１に、電源部４０ａから電力が供給される。光源領域１１ｃに配置された光源３１と、光源領域１１ｂに配置された光源３１のうちの電源領域１２ｂ側に配置された光源３１に、電源部４０ｂから電力が供給される。或いは、電源部４０ａが複数の光源領域に電力を供給してもよい。
【００１６】
支持体１０は、光源基板２０や電源部４０ａ、４０ｂを支持するために一定の強度が必要である。一方、発光ダイオード照明装置１は天井などに取り付けられるため、軽量であることも必要である。このため、例えばアルミニウム材やマグネシウム材などによって、支持体１０を形成可能である。
【００１７】
図２に示すように、光源基板２０は、内側が空洞の筐体である支持体１０内に収納されている。支持体１０の内側に搭載部１００が形成され、搭載部１００の表面である搭載面１０１に光源基板２０は配置されている。搭載面１０１と接する主面に対向する光源基板２０の主面に、光源３１は配置される。光源基板２０には、例えばアルミニウム板などのプリント基板が採用可能である。光源３１と光源基板２０に形成された配線パターンとが、リード２１によって電気的に接続されている。
【００１８】
なお、光源基板２０にそれぞれ４個の光源３１が配置された例を図１に示したが、光源基板２０に配置される光源３１の数は４個に限られるものではない。電源部４０ａ、４０ｂから供給される電力の大きさなどに応じて、光源３１の数は適宜設定される。
【００１９】
図３に示すように、電源部４０ａ、４０ｂは、搭載部１００の搭載面１０１に配置された回路基板４１、及び回路基板４１上に配置された集積回路４２を含む。搭載面１０１と接する主面に対向する回路基板４１の主面に、電源回路４２は配置される。リード４３によって、回路基板４１と電源回路４２に形成された配線パターンとが電気的に接続されている。
【００２０】
図示を省略するが、光源基板２０と回路基板４１は電気的に接続されている。つまり、集積回路４２が出力する電力は、リード４３、回路基板４１に形成された配線パターン、光源基板２０に形成された配線パターン、及びリード２１を経由して、光源３１に供給される。
【００２１】
なお、図２、図３に示すように、支持体１０の表面に凹凸が形成されている。凹凸を形成することで支持体１０の表面積が増大し、発光ダイオード３０の発する熱を、効果的に発光ダイオード照明装置１の外部に放熱できる。これにより、発光ダイオード３０の発する熱による集積回路４２の劣化を抑制できる。
【００２２】
図２、図３に示すように、光源基板２０や電源部４０ａ、４０ｂが配置された搭載面１０１の上方は、支持体１０の開口部である。支持体１０のこの開口部は、照明カバー５０によって覆われている。発光ダイオード３０から出射された出射光は、照明カバー５０を透過して、発光ダイオード照明装置１の外部に照射される。
【００２３】
照明カバー５０には、発光ダイオード３０の出射光が透過する材料を採用可能である。例えば、シリコン樹脂、アクリル樹脂、ポリカーボネート樹脂などにより照明カバー５０は形成される。照明カバー５０は、光源３１や集積回路４２などを保護すると共に、発光ダイオード３０の出射光を拡散して発光ダイオード照明装置１の外部に出力する。照明カバー５０の外形は種々の形状が採用可能であり、例えば断面が角形であっても円形であってもよい。なお、図１では照明カバー５０の図示を省略している。
【００２４】
図１では、光源領域１１ａ〜１１ｃのそれぞれに１つの光源基板２０が配置された例を示した。しかし、１つの光源領域に複数の光源基板を配置してもよい。例えば図４は、長手方向の長さが光源領域１１ａ、１１ｃの２倍程度である光源領域１１ｂに、２枚の光源基板２０を配置した例である。光源領域１１ａ〜１１ｃのそれぞれに複数の光源基板２０が配置されてもよい。
【００２５】
また、３つの光源領域と２つの電源領域が長手方向に沿って定義された例を図１に示したが、支持体１０に定義される光源領域と電源領域の数は上記に限定されるものではない。光源領域と電源領域の数は任意に設定可能である。ただし、光源領域と電源領域が支持体１０の長手方向に交互に定義され、且つ支持体１０の両端は光源領域であるため、光源領域の数は奇数、電源領域の数は偶数であることが好ましい。なお、図５に示すように、１つの電源部４０ａが複数の光源領域１１ａ、１１ｂに配置されたすべての光源３１に電力を供給してもよい。
【００２６】
光源３１は、少なくとも１個の発光ダイオード３０を含む。例えば、発光ダイオード３０が発光する青色の光を白色の光に変換する蛍光体を充填したパッケージ内に発光ダイオード３０を配置して、光源３１を形成する。このような構造によれば、所望の色の光を光源３１から出射させることができる。図１では、光源３１がそれぞれ３個の発光ダイオード３０を含むように記載されているが、光源３１に含まれる発光ダイオード３０の個数は任意である。光源３１に含まれる発光ダイオード３０の数が１個であってもよい。電源部４０ａ、４０ｂから供給される電力や発光ダイオード３０の仕様に応じて、発光ダイオード３０の個数は設定される。また、発光ダイオード３０が紫外光（波長 380&#8211;200 nm の近紫外線）にて蛍光体を変換する構成の場合においては、本発明の効果は特に有効にに発揮される。
【００２７】
また、図１に示した発光ダイオード照明装置１では、支持体１０の長手方向の両端面に、蛍光灯用照明器具のソケットに装着可能な装着ピン６０を有するエンドキャップ６１、６２が配置されている。装着ピン６０によって発光ダイオード照明装置１を既存の蛍光灯用照明器具に装着可能なように、発光ダイオード照明装置１の外形寸法、即ち、長手方向の長さや幅、及び装着ピン６０の配置等は、従来の蛍光灯と同様にする。例えば、発光ダイオード照明装置１の外形寸法を日本工業規格（ＪＩＳ）により規定された蛍光灯の外形寸法に合わせて設定する。更に、蛍光灯用照明器具への取り付け部分である口金具に相当するエンドキャップ６１、６２の形状や構造は、従来の蛍光灯の口金具と互換性を持たせる事が好ましい。
【００２８】
装着ピン６０はエンドキャップ６１、６２を貫通して配置されており、装着ピン６０と電源部４０ａ、４０ｂは電気的に接続している。電源部４０ａ、４０ｂの集積回路４２は、支持体１０の端部に配置された装着ピン６０を介して外部から供給される電源電力を、発光ダイオード３０を駆動する駆動電力に変換する。
【００２９】
例えば、電源回路４２は、装着ピン６０に印加された交流電力を整流して、発光ダイオード３０を駆動するのに適切な大きさの電圧値・電流値の直流電力に変換する。つまり、集積回路４２は、ＡＣ／ＤＣコンバータとして機能する。集積回路４２が、変換された直流電力を発光ダイオード３０に駆動電力として供給することにより、発光ダイオード３０は発光する。このため、一般の商用電源（例えば交流電圧１００Ｖ）が供給される蛍光灯用照明器具のソケットに発光ダイオード照明装置１を装着して、発光ダイオード３０を発光させることができる。また、集積回路４２は、昇圧・降圧を行うＤＣ／ＤＣコンバータとしてもよい。
【００３０】
図６に、本発明の実施形態に係る発光ダイオード照明装置１の光源３１の構造例を示す。光源３１は、表面に凹部を有する基体部３１０と、基体部３１０の凹部の周囲を環状に囲んで基体部３１０の表面に配置されたリフレクタ３１１を備える。基体部３１０は、銅、アルミニウム、銅合金、アルミニウム合金などにより形成される。リフレクタ３１１は、例えば、シリカ、酸化チタンなどのコンパウンド（充填材）の含有率が相対的に大きい樹脂などにより形成され、例えば白色系の樹脂からなる。
【００３１】
基体部３１０の凹部は、底面よりも開口部の方が広い逆テーパ形状であって、凹部の内壁面は、凹部底面に対して鈍角をなして傾斜している。また、リフレクタ３１１の基体部３１０側の開口面（以下において「底面」という。）に垂直な断面は、底面よりも底面に対向する開口面の面積の方が広い逆テーパ形状である。つまり、リフレクタ３１１の内側の表面３１１ａは、基体部３１０の凹部底面と平行なリフレクタ３１１の底面に対して鈍角θをなして傾斜している。
【００３２】
図６に示すように、発光ダイオード３０が、基体部３１０の凹部底面に配置されている。リード２１はリフレクタ３１１の側面部を貫通し、その先端がリフレクタ３１１内に露出している。ボンディングワイヤ３１２によって、発光ダイオード３０とリード２１が電気的に接続されている。リード２１とボンディングワイヤ３１２を介して、発光ダイオード３０に電力が供給される。
【００３３】
基体部３１０の凹部内及びリフレクタ３１１の内側は光透過性を有する樹脂３１３によって充填されており、発光ダイオード３０は樹脂３１３によって被覆されている。樹脂３１３には、耐熱性シリコーン樹脂などが採用可能である。また、樹脂３１３に、発光ダイオード３０の出射光の波長を変換するための蛍光体を含有させることができる。
【００３４】
発光ダイオード３０の出射光は光源３１の外部に出力されるが、出射光の一部は、リフレクタ３１１の表面３１１ａで反射されて光源３１の外部に出力される。光源３１がリフレクタ３１１を内部に備えることにより、光源３１から出力される光の指向性を狭め、光束を増大させることができるため、電源部４０ａ、４０ｂに使用されている集積回路４２を透過する発光ダイオード３０から放出される紫外線を低減させることができる。
【００３５】
発光ダイオード３０の出射光の指向性は、発光ダイオード３０が搭載された凹部底面と、リフレクタ３１１の表面３１１ａとのなす鈍角θに応じて定まる。つまり、鈍角θが小さいほど、出射光の指向性は狭くなる。光源３１それぞれについて鈍角θを設定することにより、光源３１ごとに出射光の指向性の広がりを設定できる。
【００３６】
図８に示す本発明の実施形態の変形例に係る発光ダイオード照明装置１において、鈍角θを調整することにより、電源部４０ａ、４０ｂに隣接する光源３１ａの出射光の指向性を、電源部４０ａ、４０ｂに隣接しない光源３１ｂの出射光の指向性よりも狭くできる。具体的には、図８（ａ）に示した光源３１ａの鈍角θａを、図１１（ｂ）に示した光源３１ｂの鈍角θｂよりも小さくする。少なくとも、光源３１ａの電源部４０ａ、４０ｂ側において、鈍角θａを鈍角θｂよりも小さくする。これにより、発光素子から放出される紫外線の指向性が狭くなり電源部４０ａ、４０ｂに使用されている集積回路４２へ向かい、集積回路４２を透過する紫外線をさらに低減する事が可能である。その結果、集積回路４２の誤動作を防止できるばかりではなく、照明装置近隣に設置された機材（例えば紫外線により動作する火災報知器）への影響を低減する事が出来る。
【００３７】
また、前記リフレクタ３１１の表面には、紫外線を吸収する部材が塗布されていても良い。これにより集積回路４２を透過する紫外線をさらに低減する事が可能である。
【００３８】
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。既に述べた実施形態の説明においては、複数の発光ダイオード３０で構成された光源３１が光源基板２０に搭載されていた。しかし、個々の発光ダイオード３０をそれぞれ光源３１として、発光ダイオード３０を光源基板２０に直接搭載してもよい。
【００３９】
このように、本発明はここでは記載していない様々な実施形態等を含むことは勿論である。したがって、本発明の技術的範囲は上記の説明から妥当な特許請求の範囲に係る発明特定事項によってのみ定められるものである。
【産業上の利用可能性】
【００４０】
本発明の発光ダイオード照明装置は、発光ダイオードを光源とする照明装置や照明器具を製造する製造業を含む電子機器産業に利用可能である。
【符号の説明】
【００４１】
１…発光ダイオード照明装置
１０…支持体
１１ａ〜１１ｃ…光源領域
１２ａ〜１２ｂ…電源領域
２０…光源基板
２１…リード
３０…発光ダイオード
３１…光源
４０ａ〜４０ｂ…電源部
４１…回路基板
４２…電源回路
４３…リード
５０…照明カバー
６０…装着ピン
６１、６２…エンドキャップ
１００…搭載部
１０１…搭載面
２００…発光ダイオード照明装置
２１０…光源領域
２２０…電源回路
３１０…基体部
３１１…リフレクタ
３１１ａ…表面
３１２…ボンディングワイヤ
３１３…樹脂
【図１】
2011233443.tif 000003
【図２】
2011233443.tif 000004
【図３】
2011233443.tif 000005
【図４】
2011233443.tif 000006
【図５】
2011233443.tif 000007
【図６】
2011233443.tif 000008
【図７】
2011233443.tif 000009
【図８】
2011233443.tif 000010